(57)【要約】【課題】密閉容器の脚部に水分排除孔を設けて、密閉容器の水分排除を的確に行えるスクロール圧縮機を得る。【解決手段】固定スクロールおよび旋回スクロールを有する圧縮部および圧縮部を駆動する電動機回転子および電動機固定子を有する電動機部を密閉状に収納するミドルシェル１６ならびにアッパーシェルおよびロアシェル１８からなる密閉容器を備えたスクロール圧縮機において、密閉容器の脚部１９に、密閉容器を形成するロアシェル１８部分に溜まる結露による水分を排出する水分排除孔１９ａを設けた。【選択図】図６
2006214449.tif 000002
【特許請求の範囲】
【請求項１】
圧縮部および電動機部を密閉状に収納する密閉容器を備えたスクロール圧縮機において、密閉容器の脚部に、水分排除孔を設けたことを特徴とするスクロール圧縮機。
【請求項２】
密閉容器に設けた脚部の水分排除孔と密閉容器製造時の位置決め孔とを一体的に設けたことを特徴とする請求項１に記載のスクロール圧縮機。
【請求項３】
固定スクロールおよび旋回スクロールを有する圧縮部、前記圧縮部を駆動する電動機回転子および電動機固定子を有する電動機部、前記電動機部の電動機回転子に一体的に取り付けられた主軸、前記主軸を支持するフレームを有し、前記圧縮部および電動機部を密閉状に収納する密閉容器を備えたスクロール圧縮機を製造するにあたり、密閉容器に設けた脚部の水分排除孔によって密閉容器製造時の位置決めを行うことを特徴とするスクロール圧縮機の製造方法。
【発明の詳細な説明】
【技術分野】
【０００１】
この発明は、冷凍空調装置等に搭載されるスクロール圧縮機およびその製造方法に関するものである。
【背景技術】
【０００２】
図１０は、例えば特許文献１：特開平６−１０８６４号公報に示されたスクロール圧縮機の基本形態を示す断面図である。
図において、１は固定スクロール、２は旋回スクロール、３はクランク軸、４は円筒状のブッシュ、５は主フレーム、６は電動機回転子、７は電動機固定子、８は副フレーム、９はオイルポンプ、１０は駆動ブッシュ、１１はオルダムリング、１２は潤滑油、１３は返油パイプである。
また、１４は吸入管、１５は吐出管で、それぞれミドルシェル１６、アッパーシェル１７に設けられ、ロアーシェル１８、脚部１９と共に密閉容器２０を形成している。
【０００３】
次に、動作について説明する。
電動機回転子６・電動機固定子７による電動機の駆動力は、クランク軸３・駆動ブッシュ１０により旋回スクロール２に伝達され、オルダムリング１１により揺動運動を行うことで、固定スクロール１と組み合わされて形成された圧縮機の体積を減少させた形態で、冷媒ガスを吸入、圧縮する。
クランク軸３は、主フレーム５・副フレーム８により支持される。潤滑油１２は容積型オイルポンプ９によりクランク軸３内の油通路３ｂへ供給され、各摺動部を潤滑し、返油パイプ１３により返油される。
【０００４】
図１１は、図１０の電動機から下側を示した部分断面図で、一般的に潤滑油１２を溜めたロアシェル１８にマグネット２１を設け、密閉容器２０内部に溜まる異物を捕獲する。
【０００５】
図１２は、特許文献２：実開平４−１０００８９号公報に示された従来のスクロール圧縮機を示した図で、前記従来例と同様あるいは相当する部分については、同一符号を付し、その説明は省略する。
２２はカバーで、主フレーム５の下端面にボルトにより固定されている。また、カバー２１は図１３のように主フレームボス部５ａの外径よりやや大きな径の孔を有する円板２２ａと電動機固定子のコイルエンド７ａの外径より小さい内径を有する円筒２２ｂの二つの部分をＴＩＧ溶接等により接合させて形成している。これは、板金等で一体形成することも可能である。
【０００６】
図１４〜図１７は、カバー２２の別の装着方法を示した要部断面図である。
カバー２２は、Ｃ型止め輪２３で止めたり、圧入部２４を設けたり、主フレーム５に設けた溝５ｂ・５ｃに引っ掛けて取り付けられている。また、２５は、クランク軸と一体的に取り付けられたバランスウエイトである。
【０００７】
次に、動作について説明する
。クランク軸３が回転すると、各部を潤滑した油は、主フレームに設けられた排油通路から大部分がロアシェル１８に戻されるが、一部は、主フレームとクランク軸３の摺動部からバランスウエイト２５側へ漏れてくる。これは、特にクランク軸３が、高速回転する時が顕著で、漏れた油が吸入管１４から入ってくる冷媒ガスと共に圧縮室内に導かれ、潤滑油１２が、密閉容器２０からなくなる危険性があり、カバー２２を取り付けることで、潤滑油が密閉容器２０からなくなるのを防止している。
【０００８】
図１８〜図１９は、特許文献３：特開平８−３５４９１号公報に示された従来のスクロール圧縮機に用いられた脚部を示した図で、前記従来例と同様あるいは相当する部分については、同一符号を付し、その説明は省略する。
脚部１９には、外部と固定するための固定子孔１９ｃと、組立時に必要な位置決め孔１９ｄ・１９ｅが設けられている。
【０００９】
次に、動作について説明する。
圧縮機の組立を行う時、大きさの異なる圧縮機が組立ライン上を流れる。この時、ライン上で使用されるパレットの大きさを圧縮機の大きさが変わっても、変更する必要がないように、さまざまな大きさの脚部に対応して、共通のパレットで対応することができる、位置決め孔１９ｄ・１９ｅを設けている。
こうすることで、圧縮機を外部と固定するための固定孔１９ｃと吸入管１４・吐出管１５との位置を一様に決めることが容易に可能になる。
【００１０】
【特許文献１】特開平６−１０８６４号公報
【特許文献２】実開平４−１０００８９号公報
【特許文献３】特開平８−３５４９１号公報
【発明の開示】
【発明が解決しようとする課題】
【００１１】
従来のスクロール圧縮機は、以上のように構成されているので、密閉容器を形成するロアシェル部に溜まる結露による水分を排出できる手段がなかった。
【００１２】
第１の発明は、密閉容器の脚部に水分排除孔を設けて、密閉容器の水分排除を的確に行えるスクロール圧縮機を得ようとするものである。
【００１３】
第２の発明は、密閉容器の脚部に設けた水分排除孔と密閉容器製造時の位置決め孔とを一体的に設けて、それらの共用化を図ることができるスクロール圧縮機を得ようとするものである。
【００１４】
第３の発明は、密閉容器の脚部に設けた水分排除孔と密閉容器製造時の位置決めを行い、それらの共用化を図ることができるスクロール圧縮機の製造方法を得ようとするものである。
【課題を解決するための手段】
【００１５】
第１の発明のスクロール圧縮機においては、圧縮部および電動機部を密閉状に収納する密閉容器を備えたスクロール圧縮機において、密閉容器の脚部に、水分排除孔を設けたことを特徴とする。
【００１６】
第２の発明のスクロール圧縮機においては、密閉容器に設けた脚部の水分排除孔と密閉容器製造時の位置決め孔とを一体的に設けたことを特徴とする。
【００１７】
第３の発明の製造方法においては、固定スクロールおよび旋回スクロールを有する圧縮部、前記圧縮部を駆動する電動機回転子および電動機固定子を有する電動機部、前記電動機部の電動機回転子に一体的に取り付けられた主軸、前記主軸を支持するフレームを有し、前記圧縮部および電動機部を密閉状に収納する密閉容器を備えたスクロール圧縮機を製造するにあたり、密閉容器に設けた脚部の水分排除孔によって密閉容器製造時の位置決めを行うことを特徴とする。
【００１８】
この発明の実施の形態では、次のような具体的手段を有する。
この発明の実施の形態に係るスクロール圧縮機は、返油パイプを主フレームに取り付ける時、取付け位置をシェル径に合わせ、任意に調整できるようにしたものである。
また、カバーをプラスチックで円筒状に形成し、圧入等で取り付けるようにしたものである。
また、配管と密閉容器を別部品として、共通の密閉容器に対し、種々の配管が取り付けられるようにしたものである。
また、潤滑油中に混在する異物を除去するための磁石を容易に取り付けるようにしたものである。
また、ロアシェル部に溜まる結露の排出孔を設け、排出孔が圧縮機の組立作業時の基準となるようにしたものである。
【発明の効果】
【００１９】
第１の発明によれば、密閉容器の脚部に水分排除孔を設けて、密閉容器の水分排除を的確に行えるスクロール圧縮機を得ることができる。
【００２０】
第２の発明によれば、密閉容器の脚部に設けた水分排除孔と密閉容器製造時の位置決め孔とを一体的に設けて、それらの共用化を図ることができるスクロール圧縮機を得ることができる。
【００２１】
第３の発明によれば、密閉容器の脚部に設けた水分排除孔により密閉容器製造時の位置決めを行い、それらの共用化を図ることができるスクロール圧縮機の製造方法を得ることができる。
【発明を実施するための最良の形態】
【００２２】
実施の形態１．
図１０は、スクロール圧縮機の基本形態を示すものである。この実施の形態では、返油パイプ１３部分の構成に特徴を有する。
図１０において、１は固定スクロール、２は旋回スクロール、３はクランク軸、４は円筒状のブッシュ、５は主フレーム、６は電動機回転子、７は電動機固定子、８は副フレーム、９はオイルポンプ、１０は駆動ブッシュ、１１はオルダムリング、１２は潤滑油、１３は返油パイプである。
また、１４は吸入管、１５は吐出管で、それぞれミドルシェル１６、アッパーシェル１７に設けられ、ロアーシェル１８、脚部１９と共に密閉容器２０を形成している。
【００２３】
次に、動作について説明する。
電動機回転子６・電動機固定子７による電動機の駆動力は、クランク軸３・駆動ブッシュ１０により旋回スクロール２に伝達され、オルダムリング１１により揺動運動を行うことで、固定スクロール１と組み合わされて形成された圧縮機の体積を減少させた形態で、冷媒ガスを吸入、圧縮する。
クランク軸３は、主フレーム５・副フレーム８により支持される。潤滑油１２は容積型オイルポンプ９によりクランク軸３内の油通路３ｂへ供給され、各摺動部を潤滑し、返油パイプ１３により返油される。
【００２４】
図１は、この発明の一実施形態について示した図である。ここでは、前記図１０のＡ−Ａから見た、主フレーム５と返油パイプ１３を示している。
スクロール圧縮機は、一般的に、固定スクロール１・旋回スクロール２の渦巻形状により、圧縮機の大きさが決まっているが、種々の要求性能に対し、渦巻のインボリュートあるいは円弧等で形成される歯型と歯の高さにより、調整している。
また、歯型が多種になると、それに合わせてミドルシェル１６を多種用意する必要があり、生産設計上、あるいはコスト上、多品種となり好ましくない。従って、ミドルシェル１６は、その内外径寸法を数種類とするのが通例となっている。
【００２５】
この実施の形態では、シェル径の異なるミドルシェル１６１・主フレーム５１にも共通の返油パイプ１３が使用できるようにしたものである。
この実施の形態では、返油パイプ１３として鉄・銅あるいはプラスチック等で成形された細管からなる部材を密閉容器のミドルシェル１６・１６１に沿わせるように取り付けている（矢印のように位置決めをする）が、これは、電動機固定子７のコイルエンド７ａと干渉するのを避けて、電動機固定子７とミドルシェル１６とのすき間７ｂとつながるようにしているためである。
【００２６】
すなわち、図２に示すように、この返油パイプ１３は、主フレーム５に取付けられる一端ｘを有し密閉容器のミドルシェル１６・１６１の径方向に延長する基部１３ａと、この基部１３ａと一体に設けられ、その基部１３ａの他端ｙから密閉容器のミドルシェル１６・１６１の軸方向に延長する延在部１３ｂとからなるプラスチック製等の部材により構成されている。
【００２７】
前記返油パイプ１３の基部１３ａには、その一端ｘに取付ボルト孔１３ｃに近接して主フレーム５を貫通する返油通路に対向して返油孔１３ｄが設けられ、返油パイプ１３の基部１３ａの内部に設けられた油通路１３ｅおよびこの油通路１３ｅに連通する返油パイプ１３の延長部１３ｂの内部に設けられた油通路１３ｆ、並びに電動機固定子７とミドルシェル１６とのすき間７ｂを介して密閉容器のロアーシェル１８部分に返油される。
【００２８】
このように、シェル径の異なるミドルシェル１６・１６１に対して取り付ける位置や角度を変えることで、返油パイプの共通化が図れると共に、従来と同様、油の返油が確実に行える。
【００２９】
実施の形態２．
また、図２は、返油パイプ１３をプラスチックで成形し、かつ返油パイプを軸方向に分割した他の実施形態を示したものである。
【００３０】
図２において、この返油パイプ１３は、主フレーム５に取付けられる一端ｘを有し密閉容器のミドルシェル１６・１６１の径方向に延長する基部１３ａと、この基部１３ａと一体に設けられ、その基部１３ａの他端ｙから密閉容器のミドルシェル１６・１６１の軸方向に延長する延在部１３ｂとからなるプラスチック製等の部材により構成されている。
【００３１】
前記返油パイプ１３の基部１３ａには、その一端ｘに取付ボルト孔１３ｃに近接して主フレーム５を貫通する返油通路に対向して返油孔１３ｄが設けられ、返油パイプ１３の基部１３ａの内部に設けられた油通路１３ｅおよびこの油通路１３ｅに連通する返油パイプ１３の延長部１３ｂの内部に設けられた油通路１３ｆ、並びに電動機固定子７とミドルシェル１６とのすき間７ｂを介して密閉容器のロアーシェル１８部分に返油される。
【００３２】
返油パイプ１３の延在部１３ｂは、密閉容器の軸方向において分割された二つの部品から成り立っていて、その分割部分は、例えば１３ａが凸状部、１３ｂが凹状部になっていて互いに嵌め合わせられるようにしてあり、互いに保持されるようになっている。こうすることで、組立時に脱落するのを防止している。
【００３３】
次に、作用および効果について説明する。先に述べた種々の圧縮機は、シェル径が変わると同時にその高さも変わる場合がほとんどである。この時に図１０のＢ寸法も変化する。従って、返油を確実に行うために返油パイプ１３を２つの部品とすることで、伸縮可能にして、変化するＢ寸法に対応できる。
【００３４】
また、図２では、凸状部１３ａ・凹状部１３ｂをそれぞれ１箇所づつ設けているが、どちらか一方又は両方に必要となるＢ寸法に合わせ数種類の凸状部１３ａ・凹状部１３ｂを設けることで確実に寸法が調整できる。
【００３５】
実施の形態３．
図３は、カバー２２をプラスチックで成形した実施の形態を示したものである。
カバー２２には突起２２ａが設けられていて、主フレーム５に設けられた溝と嵌合するようになっている。
また、従来のような円筒部分と円板部分を溶接等により接合する必要がなく、安価で取付性の良いカバーが得られる。
【００３６】
実施の形態４．
図４は、アッパーシェル１７と吐出管１５の取り付け部分を示した断面図である。
アッパーシェル１７と吐出管１５の嵌合部をネジ締めすることで、吐出管１５の大きさや形状が異なっても、アッパーシェル１７は共通化できる。
【００３７】
実施の形態５．
図５は、図４と同様の例で、ミドルシェル１６と吸入管１４の取り付け部分を示した図である。
ミドルシェル１６と吸入管１４の嵌合部をネジ締めすることで、ミドルシェル１６の共通化を図ると共に各種吸入管１４への対応が可能である。
【００３８】
実施の形態６．
図６は、ミドルシェル１６・ロアーシェル１８・脚部１９を示した部分断面図で、ロアーシェル１８と脚部１９との間には、圧縮機表面につく氷をとかし、潤滑油の粘度が低くなることを防止するヒータ線２６が巻かれている。
また、脚部１９には、ロアーシェル１８との接合部に近い位置に貫通孔１９ａがあいている。
【００３９】
ヒータ２６が通電されると、圧縮機の着氷がとけて水となって脚部の方へ溜まるが、ヒータ部２６で蒸発し、本来圧縮機を暖めるのに必要な熱が蒸発熱となって逃げてしまったり、ヒータ部２６の寿命が短くなるなどの不具合を起こす可能性があったが、水が溜まりやすい部分に局部的な孔１９ａをあけて、水を速やかに排除できる。
【００４０】
実施の形態７．
図７は、従来例で述べた位置決め孔１９ｄ・１９ｅと孔１９ａを一体的に設けた例で、プレス成形等で容易に加工が可能である。１９ｂは取付孔である。
【００４１】
実施の形態８．
図８は、従来例の図１１のロアシェル１８部に取り付けた磁石１８が、ロアシェルに設けた凹部１８ａに取り付けられている状態を示した図で（ロアシェル１８は一般に鉄系の鋼板なので磁力が働いて）、振動等で磁石がずれることがない。
【００４２】
実施の形態９．
図９は、別の実施の形態で、磁石の中心が中空状になっていて、ロアシェルに設けた凸部１８ｂに取り付けられている状態を示した図で、実施の形態７同様、振動等で磁石がずれることがない。
【００４３】
以上のように、この発明の実施の形態によれば、大きさの異なる圧縮機で返油パイプの形状を変える必要がない。
また、油上り防止用のカバーを簡便な形状とし、取付性を改善できる。
更に、密閉容器を共通化した状態で、各種の吸入、吐出管との接続が可能となる。
また、異物捕獲用マグネットが簡便な方法で確実に取りつけられる。そして、ロアシェル部に溜まる水分を排除できる。
【図面の簡単な説明】
【００４４】
【図１】この発明の一実施形態によるスクロール圧縮機の主フレームを下から見た図である。
【図２】この発明の一実施形態による返油パイプの斜視図である。
【図３】この発明の他の実施形態によるカバー取付部を示した部分断面図である。
【図４】この発明の他の実施形態による吐出管取付部の部分断面図である。
【図５】この発明の他の実施形態による吸入管取付部の部分断面図である。
【図６】この発明の他の実施形態によるロアシェル組立部の部分断面図である。
【図７】この発明の他の実施形態によるロアシェル組立部の斜視図である。
【図８】この発明の他の実施形態によるロアシェルと磁石の取付部の部分断面図である。
【図９】この発明の他の実施形態によるロアシェルと磁石の取付部の部分断面図である。
【図１０】スクロール圧縮機の基本形態を示す断面図である。
【図１１】従来のスクロール圧縮機の下部断面図である。
【図１２】従来のスクロール圧縮機の基本形態の他の例を示す断面図である。
【図１３】従来のスクロールに用いられるカバーの斜視図である。
【図１４】従来のスクロールのカバー取付部を示した部分断面図である。
【図１５】従来のスクロールのカバー取付部を示した部分断面図である。
【図１６】従来のスクロールのカバー取付部を示した部分断面図である。
【図１７】従来のスクロールのカバー取付部を示した部分断面図である。
【図１８】従来のスクロールの脚部を示した図である。
【図１９】従来のスクロールの脚部を示した図である。
【符号の説明】
【００４５】
１  固定スクロール、２  旋回スクロール、５  主フレーム、１３  返油パイプ、１４  吸入管、１５  吐出管、１６  ミドルシェル、１７  アッパーシェル、１８  ロアシェル、１９  脚部、２１  磁石、２２  カバー。
【図１】
2006214449.tif 000003
【図２】
2006214449.tif 000004
【図３】
2006214449.tif 000005
【図４】
2006214449.tif 000006
【図５】
2006214449.tif 000007
【図６】
2006214449.tif 000008
【図７】
2006214449.tif 000009
【図８】
2006214449.tif 000010
【図９】
2006214449.tif 000011
【図１０】
2006214449.tif 000012
【図１１】
2006214449.tif 000013
【図１２】
2006214449.tif 000014
【図１３】
2006214449.tif 000015
【図１４】
2006214449.tif 000016
【図１５】
2006214449.tif 000017
【図１６】
2006214449.tif 000018
【図１７】
2006214449.tif 000019
【図１８】
2006214449.tif 000020
【図１９】
2006214449.tif 000021